【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
ワイヤレス通信において制御チャネル要素をインデックス付けする方法であって、
ダウンリンクサブフレームのセット中のダウンリンク制御メッセージを監視することと、ここにおいて、ダウンリンクサブフレームの前記セット中の少なくとも１つのサブフレームが、物理ダウンリンク制御チャネル（ＰＤＣＣＨ）メッセージのために構成され、ダウンリンクサブフレームの前記セット中の少なくとも１つのサブフレームが、拡張物理ダウンリンク制御チャネル（ＥＰＤＣＣＨ）メッセージのために構成される、
ダウンリンクサブフレームの前記セット中の各サブフレームにわたって拡張制御チャネル要素（ＥＣＣＥ）をインデックス付けすることと、ここにおいて、前記ＥＣＣＥは、ＰＤＣＣＨが監視されるサブフレームおよびＥＰＤＣＣＨが監視されるサブフレームを含むダウンリンクサブフレームの前記セット中の各サブフレームにわたって連続的にインデックス付けされ、ここにおいて、前記ＥＣＣＥのインデックス付けは、ダウンリンクサブフレームの前記セット中のサブフレームの総数に基づく、
ダウンリンクサブフレームの前記セット中の少なくとも１つのサブフレーム中のダウンリンク制御メッセージを受信することと、前記ダウンリンク制御メッセージがＥＰＤＣＣＨメッセージを備える、
前記ＥＰＤＣＣＨメッセージを備える前記受信されたダウンリンク制御メッセージに関連付けられたＥＣＣＥインデックスを判定することと、
前記判定されたＥＣＣＥインデックスに少なくとも部分的に基づいてアップリンク制御チャネルリソースを識別することと、
前記識別されたアップリンク制御チャネルリソース上で、前記ＥＰＤＣＣＨメッセージを備える前記受信されたダウンリンク制御メッセージに関連付けられた肯定応答／否定応答（ＡＣＫ／ＮＡＣＫ）指示を送信することと
を備える、方法。
【請求項２】
前記ＡＣＫ／ＮＡＣＫ指示を前記送信することは、
単一のアップリンクサブフレーム中で前記ＡＣＫ／ＮＡＣＫ指示を送信すること
を備え、前記単一のアップリンクサブフレームが、ダウンリンクサブフレームの前記セット中の前記サブフレームの各々のための共通アップリンクサブフレームである、請求項１に記載の方法。
【請求項３】
前記ＥＣＣＥをインデックス付けすることが、
ダウンリンクサブフレームの前記セットのサブフレーム内の各ＥＰＤＣＣＨに関するインデックス値を増分すること
を備える、請求項１に記載の方法。
【請求項４】
後続のサブフレームの最初のＥＣＣＥが、先行するサブフレームの最後のＥＣＣＥに関して増分されるように、前記インデックス値が、ダウンリンクサブフレームの前記セット中の各サブフレーム中で増分される、請求項３に記載の方法。
【請求項５】
複数のＥＰＤＣＣＨリソースセットのための構成を受信すること
をさらに備え、各ＥＰＤＣＣＨリソースセットが、２つ以上の物理リソースブロック（ＰＲＢ）ペアを備え、ここにおいて、前記ＥＣＣＥをインデックス付けすることは、各ＥＰＤＣＣＨリソースセットに別個に関連付けられた前記ＥＣＣＥをインデックス付けすることを備える、請求項１に記載の方法。
【請求項６】
ダウンリンクサブフレームの前記セット中の各サブフレームが、前記ＰＤＣＣＨメッセージまたは前記ＥＰＤＣＣＨメッセージのうちの１つを備える、請求項１に記載の方法。
【請求項７】
ダウンリンクサブフレームの前記セット中の各サブフレームにわたって制御チャネル要素（ＣＣＥ）をインデックス付けすることと、ここにおいて、前記ＣＣＥは、ダウンリンクサブフレームの前記セット中の各サブフレームにわたって連続的にインデックス付けされる、
ダウンリンクサブフレームの前記セット中の少なくとも１つのサブフレーム中のダウンリンク制御メッセージを受信することと、前記ダウンリンク制御メッセージがＰＤＣＣＨメッセージを備える、
前記ＰＤＣＣＨメッセージを備える前記受信されたダウンリンク制御メッセージに関連付けられたＣＣＥインデックスを判定することと、
前記判定されたＣＣＥインデックスに少なくとも部分的に基づいてアップリンク制御チャネルリソースを識別することと、
前記識別されたアップリンク制御チャネルリソース上で、前記ＰＤＣＣＨメッセージを備える前記受信されたダウンリンク制御メッセージのためのＡＣＫ／ＮＡＣＫ指示を送信することと
をさらに備える、請求項１に記載の方法。
【請求項８】
前記ＣＣＥのインデックス付けが、ダウンリンクサブフレームの前記セット中のサブフレームの総数に基づく、請求項７に記載の方法。
【請求項９】
各ＥＰＤＣＣＨメッセージに関連付けられたＥＣＣＥインデックスを識別すること
をさらに備える、請求項１に記載の方法。
【請求項１０】
ダウンリンクサブフレームの前記セット中の前記サブフレームの各々が、連続するダウンリンクサブフレームである、請求項９に記載の方法。
【請求項１１】
前記ワイヤレス通信が、時分割複信（ＴＤＤ）ロングタームエボリューション（ＬＴＥ）システムを備えるワイヤレス通信システムにおいて実行される、請求項１に記載の方法。
【請求項１２】
ダウンリンクサブフレームの前記セット中のサブフレームの数が、前記ＴＤＤ  ＬＴＥシステムのために指定されたダウンリンクおよびアップリンクサブフレーム構成に少なくとも部分的に依存する、請求項１１に記載の方法。
【請求項１３】
前記ダウンリンク制御メッセージがダウンリンク制御情報（ＤＣＩ）メッセージを備える、請求項１に記載の方法。
【請求項１４】
前記ＥＰＤＣＣＨメッセージが、モバイルデバイスに固有の探索空間中で監視される、請求項１に記載の方法。
【請求項１５】
前記ＥＰＤＣＣＨメッセージが、２つ以上のモバイルデバイスに共通の探索空間中で監視される、請求項１に記載の方法。
【請求項１６】
ダウンリンクサブフレームの前記セット中の各サブフレームがＥＰＤＣＣＨメッセージを備える、請求項１に記載の方法。
【請求項１７】
ワイヤレス通信において制御チャネル要素をインデックス付けするための装置であって、
ダウンリンクサブフレームのセット中のダウンリンク制御メッセージを監視するための手段と、ここにおいて、ダウンリンクサブフレームの前記セット中の少なくとも１つのサブフレームが、物理ダウンリンク制御チャネル（ＰＤＣＣＨ）メッセージのために構成され、ダウンリンクサブフレームの前記セット中の少なくとも１つのサブフレームが、拡張物理ダウンリンク制御チャネル（ＥＰＤＣＣＨ）メッセージのために構成される、
ダウンリンクサブフレームの前記セット中の各サブフレームにわたって拡張制御チャネル要素（ＥＣＣＥ）をインデックス付けするための手段と、ここにおいて、前記ＥＣＣＥは、ＰＤＣＣＨが監視されるサブフレームおよびＥＰＤＣＣＨが監視されるサブフレームを含むダウンリンクサブフレームの前記セット中の各サブフレームにわたって連続的にインデックス付けされ、ここにおいて、前記ＥＣＣＥのインデックス付けは、ダウンリンクサブフレームの前記セット中のサブフレームの総数に基づく、
ダウンリンクサブフレームの前記セット中の少なくとも１つのサブフレーム中のダウンリンク制御メッセージを受信するための手段と、前記ダウンリンク制御メッセージがＥＰＤＣＣＨメッセージを備える、
前記ＥＰＤＣＣＨメッセージを備える前記受信されたダウンリンク制御メッセージに関連付けられたＥＣＣＥインデックスを判定するための手段と、
前記判定されたＥＣＣＥインデックスに少なくとも部分的に基づいてアップリンク制御チャネルリソースを識別するための手段と、
前記識別されたアップリンク制御チャネルリソース上で、前記ＥＰＤＣＣＨメッセージを備える前記受信されたダウンリンク制御メッセージに関連付けられた肯定応答／否定応答（ＡＣＫ／ＮＡＣＫ）指示を送信するための手段と
を備える、装置。
【請求項１８】
前記ＡＣＫ／ＮＡＣＫ指示を送信するための前記手段は、
単一のアップリンクサブフレーム中で前記ＡＣＫ／ＮＡＣＫ指示を送信するための手段を備え、前記単一のアップリンクサブフレームが、ダウンリンクサブフレームの前記セット中の前記サブフレームの各々のための共通アップリンクサブフレームである、請求項１７に記載の装置。
【請求項１９】
前記ＥＣＣＥをインデックス付けするための前記手段が、
ダウンリンクサブフレームの前記セットのサブフレーム内の各ＥＰＤＣＣＨに関するインデックス値を増分するための手段
を備える、請求項１７に記載の装置。
【請求項２０】
後続のサブフレームの最初のＥＣＣＥが、先行するサブフレームの最後のＥＣＣＥに関して増分されるように、前記インデックス値が、ダウンリンクサブフレームの前記セット中の各サブフレーム中で増分される、請求項１９に記載の装置。
【請求項２１】
複数のＥＰＤＣＣＨリソースセットのための構成を受信するための手段
をさらに備え、各ＥＰＤＣＣＨリソースセットが、２つ以上の物理リソースブロック（ＰＲＢ）ペアを備え、ここにおいて、前記ＥＣＣＥをインデックス付けするための手段は、各ＥＰＤＣＣＨリソースセットに別個に関連付けられた前記ＥＣＣＥをインデックス付けすることを備える、請求項１７に記載の装置。
【請求項２２】
ダウンリンクサブフレームの前記セット中の各サブフレームが、前記ＰＤＣＣＨメッセージまたは前記ＥＰＤＣＣＨメッセージのうちの１つを備える、請求項１７に記載の装置。
【請求項２３】
ダウンリンクサブフレームの前記セット中の各サブフレームがＥＰＤＣＣＨメッセージを備える、請求項１７に記載の装置。
【請求項２４】
ダウンリンクサブフレームの前記セット中の各サブフレームにわたって制御チャネル要素（ＣＣＥ）をインデックス付けするための手段と、ここにおいて、前記ＣＣＥは、ダウンリンクサブフレームの前記セット中の各サブフレームにわたって連続的にインデックス付けされる、
ダウンリンクサブフレームの前記セット中の少なくとも１つのサブフレーム中のダウンリンク制御メッセージを受信するための手段と、前記ダウンリンク制御メッセージがＰＤＣＣＨメッセージを備える、
前記ＰＤＣＣＨメッセージを備える前記受信されたダウンリンク制御メッセージに関連付けられたＣＣＥインデックスを判定するための手段と、
前記判定されたＣＣＥインデックスに少なくとも部分的に基づいてアップリンク制御チャネルリソースを識別するための手段と、
前記識別されたアップリンク制御チャネルリソース上で、前記ＰＤＣＣＨメッセージを備える前記受信されたダウンリンク制御メッセージのためのＡＣＫ／ＮＡＣＫ指示を送信するための手段と
をさらに備える、請求項１７に記載の装置。
【請求項２５】
前記ＣＣＥのインデックス付けが、ダウンリンクサブフレームの前記セット中のサブフレームの総数に基づく、請求項２４に記載の装置。
【請求項２６】
各ＥＰＤＣＣＨメッセージに関連付けられたＥＣＣＥインデックスを識別するための手段
をさらに備える、請求項１７に記載の装置。
【請求項２７】
ダウンリンクサブフレームの前記セット中の前記サブフレームの各々が、連続するダウンリンクサブフレームである、請求項２６に記載の装置。
【請求項２８】
前記ワイヤレス通信が、時分割複信（ＴＤＤ）ロングタームエボリューション（ＬＴＥ）システムを備えるワイヤレス通信システムにおいて実行される、請求項１７に記載の装置。
【請求項２９】
ダウンリンクサブフレームの前記セット中のサブフレームの数が、前記ＴＤＤ  ＬＴＥシステムのために指定されたダウンリンクおよびアップリンクサブフレーム構成に少なくとも部分的に依存する、請求項２８に記載の装置。
【請求項３０】
前記ダウンリンク制御メッセージがダウンリンク制御情報（ＤＣＩ）メッセージを備える、請求項１７に記載の装置。
【請求項３１】
前記ＥＰＤＣＣＨメッセージが、モバイルデバイスに固有の探索空間中で監視される、請求項１７に記載の装置。
【請求項３２】
前記ＥＰＤＣＣＨメッセージが、２つ以上のモバイルデバイスに共通の探索空間中で監視される、請求項１７に記載の装置。
【請求項３３】
ワイヤレス通信において制御チャネル要素をインデックス付けするための装置であって、
プロセッサと、
前記プロセッサと電子通信しているメモリと、
前記メモリに記憶された命令と
を備え、前記命令が、
ダウンリンクサブフレームのセット中のダウンリンク制御メッセージを監視することと、ここにおいて、ダウンリンクサブフレームの前記セット中の少なくとも１つのサブフレームが、物理ダウンリンク制御チャネル（ＰＤＣＣＨ）メッセージのために構成され、ダウンリンクサブフレームの前記セット中の少なくとも１つのサブフレームが、拡張物理ダウンリンク制御チャネル（ＥＰＤＣＣＨ）メッセージのために構成される、
ダウンリンクサブフレームの前記セット中の各サブフレームにわたって拡張制御チャネル要素（ＥＣＣＥ）をインデックス付けすることと、ここにおいて、前記ＥＣＣＥは、ＰＤＣＣＨが監視されるサブフレームおよびＥＰＤＣＣＨが監視されるサブフレームを含むダウンリンクサブフレームの前記セット中の各サブフレームにわたって連続的にインデックス付けされ、ここにおいて、前記ＥＣＣＥのインデックス付けは、ダウンリンクサブフレームの前記セット中のサブフレームの総数に基づく、
ダウンリンクサブフレームの前記セット中の少なくとも１つのサブフレーム中のダウンリンク制御メッセージを受信することと、前記ダウンリンク制御メッセージがＥＰＤＣＣＨメッセージを備える、
前記ＥＰＤＣＣＨメッセージを備える前記受信されたダウンリンク制御メッセージに関連付けられたＥＣＣＥインデックスを判定することと、
前記判定されたＥＣＣＥインデックスに少なくとも部分的に基づいてアップリンク制御チャネルリソースを識別することと、
前記識別されたアップリンク制御チャネルリソース上で、前記ＥＰＤＣＣＨメッセージを備える前記受信されたダウンリンク制御メッセージに関連付けられた肯定応答／否定応答（ＡＣＫ／ＮＡＣＫ）指示を送信することと
を前記装置に行わせるように前記プロセッサによって実行可能である、装置。
【請求項３４】
前記ＡＣＫ／ＮＡＣＫ指示を送信するための前記命令は、
単一のアップリンクサブフレーム中で前記ＡＣＫ／ＮＡＣＫ指示を送信すること
を前記装置に行わせるように前記プロセッサによって実行可能であり、前記単一のアップリンクサブフレームが、ダウンリンクサブフレームの前記セット中の前記サブフレームの各々のための共通アップリンクサブフレームである、請求項３３に記載の装置。
【請求項３５】
前記ＥＣＣＥをインデックス付けするための前記命令が、
ダウンリンクサブフレームの前記セットのサブフレーム内の各ＥＰＤＣＣＨに関するインデックス値を増分すること
を前記装置に行わせるように前記プロセッサによって実行可能である、請求項３３に記載の装置。
【請求項３６】
後続のサブフレームの最初のＥＣＣＥが、先行するサブフレームの最後のＥＣＣＥに関して増分されるように、前記インデックス値が、ダウンリンクサブフレームの前記セット中の各サブフレーム中で増分される、請求項３５に記載の装置。
【請求項３７】
前記命令が、
複数のＥＰＤＣＣＨリソースセットのための構成を受信すること
を前記装置に行わせるように前記プロセッサによって実行可能であり、各ＥＰＤＣＣＨリソースセットが、２つ以上の物理リソースブロック（ＰＲＢ）ペアを備え、ここにおいて、前記ＥＣＣＥをインデックス付けするための前記命令は、各ＥＰＤＣＣＨリソースセットに別個に関連付けられた前記ＥＣＣＥをインデックス付けするように前記プロセッサによって実行可能である、請求項３３に記載の装置。
【請求項３８】
ダウンリンクサブフレームの前記セット中の各サブフレームが、前記ＰＤＣＣＨメッセージまたは前記ＥＰＤＣＣＨメッセージのうちの１つを備える、請求項３３に記載の装置。
【請求項３９】
ダウンリンクサブフレームの前記セット中の各サブフレームがＥＰＤＣＣＨメッセージを備える、請求項３３に記載の装置。
【請求項４０】
前記命令が、
ダウンリンクサブフレームの前記セット中の各サブフレームにわたって制御チャネル要素（ＣＣＥ）をインデックス付けすることと、ここにおいて、前記ＣＣＥは、ダウンリンクサブフレームの前記セット中の各サブフレームにわたって連続的にインデックス付けされる、
ダウンリンクサブフレームの前記セット中の少なくとも１つのサブフレーム中のダウンリンク制御メッセージを受信することと、前記ダウンリンク制御メッセージがＰＤＣＣＨメッセージを備える、
前記ＰＤＣＣＨメッセージを備える前記受信されたダウンリンク制御メッセージに関連付けられたＣＣＥインデックスを判定することと、
前記判定されたＣＣＥインデックスに少なくとも部分的に基づいてアップリンク制御チャネルリソースを識別することと、
前記識別されたアップリンク制御チャネルリソース上で、前記ＰＤＣＣＨメッセージを備える前記受信されたダウンリンク制御メッセージのためのＡＣＫ／ＮＡＣＫ指示を送信することと
を行うように前記プロセッサによって実行可能である、請求項３３に記載の装置。
【請求項４１】
前記ＣＣＥのインデックス付けが、ダウンリンクサブフレームの前記セット中のサブフレームの総数に基づく、請求項４０に記載の装置。
【請求項４２】
前記命令が、
各ＥＰＤＣＣＨメッセージに関連付けられたＥＣＣＥインデックスを識別すること
を前記装置に行わせるように前記プロセッサによって実行可能である、請求項３３に記載の装置。
【請求項４３】
ダウンリンクサブフレームの前記セット中の前記サブフレームの各々が、連続するダウンリンクサブフレームである、請求項４２に記載の装置。
【請求項４４】
前記ワイヤレス通信が、時分割複信（ＴＤＤ）ロングタームエボリューション（ＬＴＥ）システムを備えるワイヤレス通信システムにおいて実行される、請求項３３に記載の装置。
【請求項４５】
ダウンリンクサブフレームの前記セット中のサブフレームの数が、前記ＴＤＤ  ＬＴＥシステムのために指定されたダウンリンクおよびアップリンクサブフレーム構成に少なくとも部分的に依存する、請求項４４に記載の装置。
【請求項４６】
前記ダウンリンク制御メッセージがダウンリンク制御情報（ＤＣＩ）メッセージを備える、請求項３３に記載の装置。
【請求項４７】
前記ＥＰＤＣＣＨメッセージが、モバイルデバイスに固有の探索空間中で監視される、請求項３３に記載の装置。
【請求項４８】
前記ＥＰＤＣＣＨメッセージが、２つ以上のモバイルデバイスに共通の探索空間中で監視される、請求項３３に記載の装置。
【請求項４９】
ワイヤレス通信のためのコードを記憶する非一時的コンピュータ可読媒体であって、前記コードが、
ダウンリンクサブフレームのセット中のダウンリンク制御メッセージを監視することと、ここにおいて、ダウンリンクサブフレームの前記セット中の少なくとも１つのサブフレームが、物理ダウンリンク制御チャネル（ＰＤＣＣＨ）メッセージのために構成され、ダウンリンクサブフレームの前記セット中の少なくとも１つのサブフレームが、拡張物理ダウンリンク制御チャネル（ＥＰＤＣＣＨ）メッセージのために構成される、
ダウンリンクサブフレームの前記セット中の各サブフレームにわたって拡張制御チャネル要素（ＥＣＣＥ）をインデックス付けすることと、ここにおいて、前記ＥＣＣＥは、ＰＤＣＣＨが監視されるサブフレームおよびＥＰＤＣＣＨが監視されるサブフレームを含むダウンリンクサブフレームの前記セット中の各サブフレームにわたって連続的にインデックス付けされ、ここにおいて、前記ＥＣＣＥのインデックス付けは、ダウンリンクサブフレームの前記セット中のサブフレームの総数に基づく、
ダウンリンクサブフレームの前記セット中の少なくとも１つのサブフレーム中のダウンリンク制御メッセージを受信することと、前記ダウンリンク制御メッセージがＥＰＤＣＣＨメッセージを備える、
前記ＥＰＤＣＣＨメッセージを備える前記受信されたダウンリンク制御メッセージに関連付けられたＥＣＣＥインデックスを判定することと、
前記判定されたＥＣＣＥインデックスに少なくとも部分的に基づいてアップリンク制御チャネルリソースを識別することと、
前記識別されたアップリンク制御チャネルリソース上で、前記ＥＰＤＣＣＨメッセージを備える前記受信されたダウンリンク制御メッセージに関連付けられた肯定応答／否定応答（ＡＣＫ／ＮＡＣＫ）指示を送信することと
を行うようにプロセッサによって実行可能な命令を備える、非一時的コンピュータ可読媒体。
【請求項５０】
前記ＡＣＫ／ＮＡＣＫ指示を送信するための前記命令は、
単一のアップリンクサブフレーム中で前記ＡＣＫ／ＮＡＣＫ指示を送信する
ように前記プロセッサによって実行可能であり、前記単一のアップリンクサブフレームが、ダウンリンクサブフレームの前記セット中の前記サブフレームの各々のための共通アップリンクサブフレームである、請求項４９に記載の非一時的コンピュータ可読媒体。
【請求項５１】
前記ＥＣＣＥをインデックス付けするための前記命令が、
ダウンリンクサブフレームの前記セットのサブフレーム内の各ＥＰＤＣＣＨに関するインデックス値を増分する
ように前記プロセッサによって実行可能である、請求項４９に記載の非一時的コンピュータ可読媒体。
【請求項５２】
前記命令が、
複数のＥＰＤＣＣＨリソースセットのための構成を受信する
ように前記プロセッサによって実行可能であり、各ＥＰＤＣＣＨリソースセットが、２つ以上の物理リソースブロック（ＰＲＢ）ペアを備え、ここにおいて、前記ＥＣＣＥをインデックス付けするための前記命令は、各ＥＰＤＣＣＨリソースセットに別個に関連付けられた前記ＥＣＣＥをインデックス付けするように前記プロセッサによって実行可能である、請求項４９に記載の非一時的コンピュータ可読媒体。
【請求項５３】
ダウンリンクサブフレームの前記セット中の各サブフレームが、前記ＰＤＣＣＨメッセージまたは前記ＥＰＤＣＣＨメッセージのうちの１つを備える、請求項４９に記載の非一時的コンピュータ可読媒体。
【請求項５４】
ダウンリンクサブフレームの前記セット中の各サブフレームがＥＰＤＣＣＨメッセージを備える、請求項４９に記載の非一時的コンピュータ可読媒体。
【請求項５５】
前記命令が、
ダウンリンクサブフレームの前記セット中の各サブフレームにわたって制御チャネル要素（ＣＣＥ）をインデックス付けすることと、ここにおいて、前記ＣＣＥは、ダウンリンクサブフレームの前記セット中の各サブフレームにわたって連続的にインデックス付けされる、
ダウンリンクサブフレームの前記セット中の少なくとも１つのサブフレーム中のダウンリンク制御メッセージを受信することと、前記ダウンリンク制御メッセージがＰＤＣＣＨメッセージを備える、
前記ＰＤＣＣＨメッセージを備える前記受信されたダウンリンク制御メッセージに関連付けられたＣＣＥインデックスを判定することと、
前記判定されたＣＣＥインデックスに少なくとも部分的に基づいてアップリンク制御チャネルリソースを識別することと、
前記識別されたアップリンク制御チャネルリソース上で、前記ＰＤＣＣＨメッセージを備える前記受信されたダウンリンク制御メッセージのためのＡＣＫ／ＮＡＣＫ指示を送信することと
を行うように前記プロセッサによって実行可能である、請求項４９に記載の非一時的コンピュータ可読媒体。
【請求項５６】
前記命令が、
各ＥＰＤＣＣＨメッセージに関連付けられたＥＣＣＥインデックスを識別すること
を行うように前記プロセッサによって実行可能である、請求項４９に記載の非一時的コンピュータ可読媒体。
【請求項５７】
前記ワイヤレス通信が、時分割複信（ＴＤＤ）ロングタームエボリューション（ＬＴＥ）システムを備えるワイヤレス通信システムにおいて実行される、請求項４９に記載の非一時的コンピュータ可読媒体。
【手続補正２】
【補正対象書類名】明細書
【補正対象項目名】０１１０
【補正方法】変更
【補正の内容】
【０１１０】
[0124]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信において制御チャネル要素をインデックス付けする方法であって、
ダウンリンクサブフレームのセット中のダウンリンク制御メッセージを監視することと、ここにおいて、前記監視することが、前記セットの前記サブフレームのうちの少なくとも１つ中の物理ダウンリンク制御チャネル（ＰＤＣＣＨ）メッセージを監視することと、前記セットの前記サブフレームのうちの少なくとも１つ中の拡張物理ダウンリンク制御チャネル（ＥＰＤＣＣＨ）メッセージを監視することとを備える、
ダウンリンクサブフレームの前記セット中の少なくとも１つのサブフレーム中の少なくとも１つのダウンリンク制御メッセージを受信することと、前記ダウンリンク制御メッセージがＥＰＤＣＣＨメッセージを備える、
ダウンリンクサブフレームの前記セットに少なくとも部分的に基づいて、前記ＥＰＤＣＣＨメッセージを監視するために使用される拡張制御チャネル要素（ＥＣＣＥ）のためのインデックスを判断することと、
前記ＥＣＣＥの前記インデックスに少なくとも部分的に基づいてアップリンク制御チャネルリソースを識別することと、
前記識別されたアップリンク制御チャネルリソース上で、前記受信されたダウンリンク制御メッセージに関連付けられた肯定応答／否定応答（ＡＣＫ／ＮＡＣＫ）指示を送信することと
を備える、方法。
［Ｃ２］
ＥＣＣＥのための前記インデックスを判断することが、ダウンリンクサブフレームの前記セット中のサブフレームの総数に基づく、Ｃ１に記載の方法。
［Ｃ３］
サブフレームの前記総数は、ＰＤＣＣＨメッセージが監視されるサブフレームと、ＥＰＤＣＣＨメッセージが監視されるサブフレームとを備える、Ｃ２に記載の方法。
［Ｃ４］
前記ＡＣＫ／ＮＡＣＫ指示を前記送信することは、
単一のアップリンクサブフレーム中で前記ＡＣＫ／ＮＡＣＫ指示を送信することを備え、前記単一のアップリンクサブフレームが、ダウンリンクサブフレームの前記セット中の前記サブフレームの各々のための共通アップリンクサブフレームである、Ｃ１に記載の方法
［Ｃ５］
前記ＥＰＤＣＣＨメッセージを監視するために使用される前記ＥＣＣＥをインデックス付けすることをさらに備える、Ｃ１に記載の方法。
［Ｃ６］
前記ＥＣＣＥをインデックス付けすることが、
ダウンリンクサブフレームの前記セット中の１つまたは複数のサブフレーム中のインデックス値を増分することを備える、Ｃ５に記載の方法。
［Ｃ７］
前記インデックス値が、ダウンリンクサブフレームの前記セット中の各サブフレーム中で増分される、Ｃ６に記載の方法。
［Ｃ８］
複数のＥＰＤＣＣＨリソースセットのための構成を受信することと、各ＥＰＤＣＣＨリソースセットが、２つ以上の物理リソースブロック（ＰＲＢ）ペアを備える、
ダウンリンクサブフレームの前記セット中の各サブフレーム中の各それぞれのＥＰＤＣＣＨリソースセットに関する前記インデックス値を増分することと
をさらに備える、Ｃ６に記載の方法。
［Ｃ９］
ダウンリンクサブフレームの前記セット中の各サブフレームが、前記ＰＤＣＣＨメッセージまたは前記ＥＰＤＣＣＨメッセージのうちの１つを備える、Ｃ１に記載の方法。
［Ｃ１０］
ダウンリンクサブフレームの前記セット中の各サブフレームがＥＰＤＣＣＨメッセージを備える、Ｃ１に記載の方法。
［Ｃ１１］
ダウンリンクサブフレームの前記セット中の少なくとも１つのサブフレーム中の少なくとも１つのダウンリンク制御メッセージを受信することをさらに備え、前記ダウンリンク制御メッセージがＰＤＣＣＨメッセージを備える、Ｃ１に記載の方法。
［Ｃ１２］
ダウンリンクサブフレームの前記セットに少なくとも部分的に基づいて、前記ＰＤＣＣＨメッセージを監視するために使用される制御チャネル要素（ＣＣＥ）のためのインデックスを判断することと、
前記ＣＣＥの前記インデックスに少なくとも部分的に基づいてアップリンク制御チャネルリソースを識別することと、
前記識別されたアップリンク制御チャネルリソース上で、前記ＰＤＣＣＨメッセージを備える前記受信されたダウンリンク制御メッセージのためのＡＣＫ／ＮＡＣＫ指示を送信することと
をさらに備える、Ｃ１１に記載の方法。
［Ｃ１３］
ＣＣＥのための前記インデックスを判断することが、ダウンリンクサブフレームの前記セット中のサブフレームの総数に基づく、Ｃ１２に記載の方法。
［Ｃ１４］
サブフレームの前記総数は、ＰＤＣＣＨメッセージが監視されるサブフレームと、ＥＰＤＣＣＨメッセージが監視されるサブフレームとを備える、Ｃ１３に記載の方法。
［Ｃ１５］
前記ＥＰＤＣＣＨメッセージに関連付けられたインデックスを識別することをさらに備え、前記インデックスが、ダウンリンクサブフレームの前記セット中の前記サブフレームのすべてに基づく、Ｃ１に記載の方法。
［Ｃ１６］
ダウンリンクサブフレームの前記セット中の前記サブフレームの各々が、連続するダウンリンクサブフレームである、Ｃ１５に記載の方法。
［Ｃ１７］
前記ワイヤレス通信が、時分割複信（ＴＤＤ）ロングタームエボリューション（ＬＴＥ）システムを備えるワイヤレス通信システムにおいて実行される、Ｃ１に記載の方法。
［Ｃ１８］
ダウンリンクサブフレームの前記セット中のサブフレームの前記数が、前記ＴＤＤ  ＬＴＥシステムのために指定されたダウンリンクおよびアップリンクサブフレーム構成に少なくとも部分的に依存する、Ｃ１７に記載の方法。
［Ｃ１９］
前記ダウンリンク制御メッセージがダウンリンク制御情報（ＤＣＩ）チャネルメッセージを備える、Ｃ１に記載の方法。
［Ｃ２０］
前記ＥＰＤＣＣＨメッセージが、前記モバイルデバイスに固有の探索空間中で監視される、Ｃ１に記載の方法。
［Ｃ２１］
前記ＥＰＤＣＣＨメッセージが、２つ以上のモバイルデバイスに共通の探索空間中で監視される、Ｃ１に記載の方法。
［Ｃ２２］
ワイヤレス通信において制御チャネル要素をインデックス付けするための装置であって、
ダウンリンクサブフレームのセット中のダウンリンク制御メッセージを監視するための手段と、ここにおいて、前記監視することが、前記セットの前記サブフレームのうちの少なくとも１つ中の物理ダウンリンク制御チャネル（ＰＤＣＣＨ）メッセージを監視することと、前記セットの前記サブフレームのうちの少なくとも１つ中の拡張物理ダウンリンク制御チャネル（ＥＰＤＣＣＨ）メッセージを監視することとを備える、
ダウンリンクサブフレームの前記セット中の少なくとも１つのサブフレーム中の少なくとも１つのダウンリンク制御メッセージを受信するための手段と、前記ダウンリンク制御メッセージがＥＰＤＣＣＨメッセージを備える、
ダウンリンクサブフレームの前記セットに少なくとも部分的に基づいて、前記ＥＰＤＣＣＨメッセージを監視するために使用される拡張制御チャネル要素（ＥＣＣＥ）のためのインデックスを判断するための手段と、
前記ＥＣＣＥの前記インデックスに少なくとも部分的に基づいてアップリンク制御チャネルリソースを識別するための手段と、
前記識別されたアップリンク制御チャネルリソース上で、前記受信されたダウンリンク制御メッセージに関連付けられた肯定応答／否定応答（ＡＣＫ／ＮＡＣＫ）指示を送信するための手段と
を備える、装置。
［Ｃ２３］
ＥＣＣＥのための前記インデックスを判断するための前記手段が、ダウンリンクサブフレームの前記セット中のサブフレームの総数に基づく、Ｃ２２に記載の装置。
［Ｃ２４］
サブフレームの前記総数は、ＰＤＣＣＨメッセージが監視されるサブフレームと、ＥＰＤＣＣＨメッセージが監視されるサブフレームとを備える、Ｃ２３に記載の装置。
［Ｃ２５］
前記ＡＣＫ／ＮＡＣＫ指示を送信するための前記手段は、
単一のアップリンクサブフレーム中で前記ＡＣＫ／ＮＡＣＫ指示を送信するための手段を備え、前記単一のアップリンクサブフレームが、ダウンリンクサブフレームの前記セット中の前記サブフレームの各々のための共通アップリンクサブフレームである、Ｃ２２に記載の装置。
［Ｃ２６］
前記ＥＰＤＣＣＨメッセージを監視するために使用される前記ＥＣＣＥをインデックス付けするための手段をさらに備える、Ｃ２２に記載の装置。
［Ｃ２７］
前記ＥＣＣＥをインデックス付けするための前記手段が、
ダウンリンクサブフレームの前記セット中の１つまたは複数のサブフレーム中のインデックス値を増分するための手段を備える、Ｃ２６に記載の装置。
［Ｃ２８］
前記インデックス値が、ダウンリンクサブフレームの前記セット中の各サブフレーム中で増分される、Ｃ２７に記載の装置。
［Ｃ２９］
複数のＥＰＤＣＣＨリソースセットのための構成を受信するための手段と、各ＥＰＤＣＣＨリソースセットが、２つ以上の物理リソースブロック（ＰＲＢ）ペアを備える、
ダウンリンクサブフレームの前記セット中の各サブフレーム中の各それぞれのＥＰＤＣＣＨリソースセットに関する前記インデックス値を増分するための手段と
をさらに備える、Ｃ２７に記載の装置。
［Ｃ３０］
ダウンリンクサブフレームの前記セット中の各サブフレームが、前記ＰＤＣＣＨメッセージまたは前記ＥＰＤＣＣＨメッセージのうちの１つを備える、Ｃ２２に記載の装置。
［Ｃ３１］
ダウンリンクサブフレームの前記セット中の各サブフレームがＥＰＤＣＣＨメッセージを備える、Ｃ２２に記載の装置。
［Ｃ３２］
ダウンリンクサブフレームの前記セット中の少なくとも１つのサブフレーム中の少なくとも１つのダウンリンク制御メッセージを受信するための手段をさらに備え、前記ダウンリンク制御メッセージがＰＤＣＣＨメッセージを備える、Ｃ２２に記載の装置。
［Ｃ３３］
ダウンリンクサブフレームの前記セットに少なくとも部分的に基づいて、前記ＰＤＣＣＨメッセージを監視するために使用される制御チャネル要素（ＣＣＥ）のためのインデックスを判断するための手段と、
前記ＣＣＥの前記インデックスに少なくとも部分的に基づいてアップリンク制御チャネルリソースを識別するための手段と、
前記識別されたアップリンク制御チャネルリソース上で、前記ＰＤＣＣＨメッセージを備える前記受信されたダウンリンク制御メッセージのためのＡＣＫ／ＮＡＣＫ指示を送信するための手段と
をさらに備える、Ｃ２２に記載の装置。
［Ｃ３４］
ＣＣＥのための前記インデックスを判断するための前記手段が、ダウンリンクサブフレームの前記セット中のサブフレームの総数に基づく、Ｃ３３に記載の装置。
［Ｃ３５］
サブフレームの前記総数は、ＰＤＣＣＨメッセージが監視されるサブフレームと、ＥＰＤＣＣＨメッセージが監視されるサブフレームとを備える、Ｃ３４に記載の装置。
［Ｃ３６］
前記ＥＰＤＣＣＨメッセージに関連付けられたインデックスを識別するための手段をさらに備え、前記インデックスが、ダウンリンクサブフレームの前記セット中の前記サブフレームのすべてに基づく、Ｃ２２に記載の装置。
［Ｃ３７］
ダウンリンクサブフレームの前記セット中の前記サブフレームの各々が、連続するダウンリンクサブフレームである、Ｃ３６に記載の装置。
［Ｃ３８］
前記ワイヤレス通信が、時分割複信（ＴＤＤ）ロングタームエボリューション（ＬＴＥ）システムを備えるワイヤレス通信システムにおいて実行される、Ｃ２２に記載の装置。
［Ｃ３９］
ダウンリンクサブフレームの前記セット中のサブフレームの前記数が、前記ＴＤＤ  ＬＴＥシステムのために指定されたダウンリンクおよびアップリンクサブフレーム構成に少なくとも部分的に依存する、Ｃ３８に記載の装置。
［Ｃ４０］
前記ダウンリンク制御メッセージがダウンリンク制御情報（ＤＣＩ）チャネルメッセージを備える、Ｃ２２に記載の装置。
［Ｃ４１］
前記ＥＰＤＣＣＨメッセージが、前記モバイルデバイスに固有の探索空間中で監視される、Ｃ２２に記載の装置。
［Ｃ４２］
前記ＥＰＤＣＣＨメッセージが、２つ以上のモバイルデバイスに共通の探索空間中で監視される、Ｃ２２に記載の装置。
［Ｃ４３］
ワイヤレス通信において制御チャネル要素をインデックス付けするための装置であって、
プロセッサと、
前記プロセッサと電子通信しているメモリと、
前記メモリに記憶された命令と
を備え、前記命令が、
ダウンリンクサブフレームのセット中のダウンリンク制御メッセージを監視することと、ここにおいて、前記監視することが、前記セットの前記サブフレームのうちの少なくとも１つ中の物理ダウンリンク制御チャネル（ＰＤＣＣＨ）メッセージを監視することと、前記セットの前記サブフレームのうちの少なくとも１つ中の拡張物理ダウンリンク制御チャネル（ＥＰＤＣＣＨ）メッセージを監視することとを備える、
ダウンリンクサブフレームの前記セット中の少なくとも１つのサブフレーム中の少なくとも１つのダウンリンク制御メッセージを受信することと、前記ダウンリンク制御メッセージがＥＰＤＣＣＨメッセージを備える、
ダウンリンクサブフレームの前記セットに少なくとも部分的に基づいて、前記ＥＰＤＣＣＨメッセージを監視するために使用される拡張制御チャネル要素（ＥＣＣＥ）のためのインデックスを判断することと、
前記ＥＣＣＥの前記インデックスに少なくとも部分的に基づいてアップリンク制御チャネルリソースを識別することと、
前記識別されたアップリンク制御チャネルリソース上で、前記受信されたダウンリンク制御メッセージに関連付けられた肯定応答／否定応答（ＡＣＫ／ＮＡＣＫ）指示を送信することと
を行うために前記プロセッサによって実行可能である、装置。
［Ｃ４４］
ＥＣＣＥのための前記インデックスを判断するための前記命令が、ダウンリンクサブフレームの前記セット中のサブフレームの総数に基づく、Ｃ４３に記載の装置。
［Ｃ４５］
サブフレームの前記総数は、ＰＤＣＣＨメッセージが監視されるサブフレームと、ＥＰＤＣＣＨメッセージが監視されるサブフレームとを備える、Ｃ４４に記載の装置。
［Ｃ４６］
前記ＡＣＫ／ＮＡＣＫ指示を送信するための前記命令は、
単一のアップリンクサブフレーム中で前記ＡＣＫ／ＮＡＣＫ指示を送信するために前記プロセッサによって実行可能であり、前記単一のアップリンクサブフレームが、ダウンリンクサブフレームの前記セット中の前記サブフレームの各々のための共通アップリンクサブフレームである、Ｃ４３に記載の装置。
［Ｃ４７］
前記命令が、
前記ＥＰＤＣＣＨメッセージを監視するために使用される前記ＥＣＣＥをインデックス付けするために前記プロセッサによって実行可能である、Ｃ４３に記載の装置。
［Ｃ４８］
前記ＥＣＣＥをインデックス付けするための前記命令が、
ダウンリンクサブフレームの前記セット中の１つまたは複数のサブフレーム中のインデックス値を増分するために前記プロセッサによって実行可能である、Ｃ４７に記載の装置。
［Ｃ４９］
前記インデックス値が、ダウンリンクサブフレームの前記セット中の各サブフレーム中で増分される、Ｃ４８に記載の装置。
［Ｃ５０］
前記命令が、
複数のＥＰＤＣＣＨリソースセットのための構成を受信することと、各ＥＰＤＣＣＨリソースセットが、２つ以上の物理リソースブロック（ＰＲＢ）ペアを備える、
ダウンリンクサブフレームの前記セット中の各サブフレーム中の各それぞれのＥＰＤＣＣＨリソースセットに関する前記インデックス値を増分することと
を行うために前記プロセッサによって実行可能である、Ｃ４８に記載の装置。
［Ｃ５１］
ダウンリンクサブフレームの前記セット中の各サブフレームが、前記ＰＤＣＣＨメッセージまたは前記ＥＰＤＣＣＨメッセージのうちの１つを備える、Ｃ４３に記載の装置。
［Ｃ５２］
ダウンリンクサブフレームの前記セット中の各サブフレームがＥＰＤＣＣＨメッセージを備える、Ｃ４３に記載の装置。
［Ｃ５３］
ワイヤレス通信において制御チャネル要素をインデックス付けするためのコンピュータプログラム製品であって、前記コンピュータプログラム製品は、
ダウンリンクサブフレームのセット中のダウンリンク制御メッセージを監視することと、ここにおいて、前記監視することが、前記セットの前記サブフレームのうちの少なくとも１つ中の物理ダウンリンク制御チャネル（ＰＤＣＣＨ）メッセージを監視することと、前記セットの前記サブフレームのうちの少なくとも１つ中の拡張物理ダウンリンク制御チャネル（ＥＰＤＣＣＨ）メッセージを監視することとを備える、
ダウンリンクサブフレームの前記セット中の少なくとも１つのサブフレーム中の少なくとも１つのダウンリンク制御メッセージを受信することと、前記ダウンリンク制御メッセージがＥＰＤＣＣＨメッセージを備える、
ダウンリンクサブフレームの前記セットに少なくとも部分的に基づいて、前記ＥＰＤＣＣＨメッセージを監視するために使用される拡張制御チャネル要素（ＥＣＣＥ）のためのインデックスを判断することと、
前記ＥＣＣＥの前記インデックスに少なくとも部分的に基づいてアップリンク制御チャネルリソースを識別することと、
前記識別されたアップリンク制御チャネルリソース上で、前記受信されたダウンリンク制御メッセージに関連付けられた肯定応答／否定応答（ＡＣＫ／ＮＡＣＫ）指示を送信することと
を行うためにプロセッサによって実行可能な命令を記憶している非一時的コンピュータ可読媒体を備える、コンピュータプログラム製品。
［Ｃ５４］
ＥＣＣＥのための前記インデックスを判断するための前記命令が、ダウンリンクサブフレームの前記セット中のサブフレームの総数に基づく、Ｃ５３に記載のコンピュータプログラム製品。
［Ｃ５５］
サブフレームの前記総数は、ＰＤＣＣＨメッセージが監視されるサブフレームと、ＥＰＤＣＣＨメッセージが監視されるサブフレームとを備える、Ｃ５４に記載のコンピュータプログラム製品。
［Ｃ５６］
前記ＡＣＫ／ＮＡＣＫ指示を送信するための前記命令は、
単一のアップリンクサブフレーム中で前記ＡＣＫ／ＮＡＣＫ指示を送信するために前記プロセッサによって実行可能であり、前記単一のアップリンクサブフレームが、ダウンリンクサブフレームの前記セット中の前記サブフレームの各々のための共通アップリンクサブフレームである、Ｃ５３に記載のコンピュータプログラム製品。
［Ｃ５７］
前記命令が、
前記ＥＰＤＣＣＨメッセージを監視するために使用される前記ＥＣＣＥをインデックス付けするために前記プロセッサによって実行可能である、Ｃ５３に記載のコンピュータプログラム製品。